(57)【特許請求の範囲】
【請求項１】
表示手段と、
インターネット接続可能な通信手段と、
この通信手段によりインターネット経由して取り込まれたホームページを前記表示手段に表示制御するホームページ表示制御手段と、
このホームページ表示制御手段により前記表示手段に表示制御されたホームページの任意の位置をユーザ操作に応じてポイント指定する位置指定手段と、
この位置指定手段によって指定された位置が画像表示域内である場合に、
その画像にリンク先アドレスが定義されているときは当該リンク先アドレスで示されるページを前記通信手段によりダウンロードして前記表示手段に表示制御し、前記画像にリンク先アドレスが定義されていないときは当該画像が前記表示手段の所定位置に表示されるように前記ホームページ全体を移動させる表示制御手段と、
を具備したことを特徴とする携帯情報端末。
【請求項２】
前記位置指定手段によって指定された位置が画像表示域でない場合に、その指定位置に最も近い位置にある画像が前記表示手段の所定位置に表示されるように前記ホームページ全体を移動させる近接画像表示制御手段と、
を更に具備したことを特徴とする請求項１に記載の携帯情報端末。
【請求項３】
前記ホームページ表示制御手段は、
前記通信手段により取り込まれたホームページが前記表示手段により表示可能な表示領域よりも大きい場合には、当該ホームページの一部を前記表示手段に表示制御し、
前記所定位置は、前記表示手段の中央部分であることを特徴とする請求項１又は請求項２に記載の携帯情報端末。
【請求項４】
インターネット接続可能な通信手段を備えたコンピュータを、
前記通信手段によりインターネット経由して取り込まれたホームページを表示手段に表示制御するホームページ表示制御手段、
このホームページ表示制御手段により前記表示手段に表示制御されたホームページの任意の位置をユーザ操作に応じてポイント指定する位置指定手段、
この位置指定手段によって指定された位置が画像表示域内である場合に、
その画像にリンク先アドレスが定義されているときは当該リンク先アドレスで示されるページを前記通信手段によりダウンロードして前記表示手段に表示制御し、前記画像にリンク先アドレスが定義されていないときは当該画像が前記表示手段の所定位置に表示されるように前記ホームページ全体を移動させる表示制御手段、
として機能させるためのプログラムを記録したコンピュータ読み取り可能な記録媒体。
【発明の詳細な説明】
【技術分野】
【０００１】
この発明は、表示画面上への指示に応じて表示内容を制御する携帯情報端末および記録媒体に関する。
【背景技術】
【０００２】
近年、電子手帳等、ＰＤＡ（パーソナル・デジタル・アシスタント）と呼ばれるモバイル型情報機器には、データ通信機能が備えられており、携帯型無線端末としてインターネットのホームページをアクセスしてそれを取り込み、端末画面に表示することができるようになった。また、携帯電話も情報端末として機能するまでに発展し、インターネットへのアクセスが同様に可能となった。ところで、インターネットのホームページはデスクトップ型のパソコンに対応して大画面表示されることを前提として作成されていることが多く、それを携帯端末で受信して表示させた場合、端末画面はデスクトップ型の画面に比べてその画面サイズが極端に小さいため、ホームページの一部しか表示されない。
【発明の開示】
【発明が解決しようとする課題】
【０００３】
このように、端末画面ではホームページを部分表示しかできないため、その全体を見るためには、面倒な縦スクロールや横スクロールを度々行う必要があり、使い勝手が悪く、ユーザに大きな負担をかける他、スクロール忘れによってその一部を見過ごしてしまうおそれがあった。そこで、ページ全体を端末画面に縮小表示するようにしてもよいが、表示内容の個々が非常に小さくなり、視読不能になるおそれがあった。本発明の課題は、画面上の任意のデータを指定する際に、その指定位置を変えるだけで、所望するデータが画面上の所定位置に来るように画面全体の表示内容を移動したり、そのデータにリンクされている関連情報を表示したりできるようにすることである。
【課題を解決するための手段】
【０００４】
上記課題を解決するために、請求項１記載の発明は、表示手段と、インターネット接続可能な通信手段と、この通信手段によりインターネット経由して取り込まれたホームページを前記表示手段に表示制御するホームページ表示制御手段と、このホームページ表示制御手段により前記表示手段に表示制御されたホームページの任意の位置をユーザ操作に応じてポイント指定する位置指定手段と、この位置指定手段によって指定された位置が画像表示域内である場合に、その画像にリンク先アドレスが定義されているときは当該リンク先アドレスで示されるページを前記通信手段によりダウンロードして前記表示手段に表示制御し、前記画像にリンク先アドレスが定義されていないときは当該画像が前記表示手段の所定位置に表示されるように前記ホームページ全体を移動させる表示制御手段と、を具備したことを特徴とする。
【発明の効果】
【０００５】
本発明によれば、画面上の任意の画像を指定する際に、その指定位置を変えるだけで、所望する画像が画面上の所定位置に来るように画面全体の表示内容を移動することができたり、その画像にリンクされている関連情報を表示することができたりするので、簡単な操作によって所望する画像を作業性や視読性の良い場所に合せ込むことが可能となる他、現画面内に表示しきれていない画像であってもそれを画面上の所定位置に合せ込むことが可能となる。
【発明を実施するための最良の形態】
【０００６】
（第１実施形態）
以下、図１〜図５を参照してこの発明の第１実施形態を説明する。図１は通信機能を備えた電子手帳（携帯情報端末）の全体構成を示したブロック図である。この携帯情報端末はインターネット用ブラウザソフトを有し、インターネット経由してホームページを取り込み、それを端末画面に表示出力させることでホームページをどこでも自由に閲覧できるようになっている。ＣＰＵ１は各種プログラムにしたがってこの全体動作を制御する中央演算処理装置である。記録装置２はオペレーティングシステムや各種アプリケーションソフト、データベース、文字フォントデータ等が予め格納されている記録媒体３やその駆動系を有している。この記録媒体３は固定的に設けたもの、もしくは着脱自在に装着可能なものであり、フロッピー（登録商標）ディスク、ハードディスク、光ディスク、ＲＡＭカード等の磁気的・光学的記憶媒体、半導体メモリによって構成されている。また、記憶媒体３内のプログラムやデータは、必要に応じてＣＰＵ１の制御により、ＲＡＭ４にロードされる。更に、ＣＰＵ１は通信回線等を介して他の機器側から送信されて来たプログラム、データを受信して記録媒体３に格納したり、他の機器側に設けられている記録媒体に格納されているプログラム、データを通信回線等を介して使用することもできる。また、ＣＰＵ１にはその入出力周辺デバイスである入力装置５、表示装置６、通信装置７がバスラインを介して接続されており、入出力プログラムにしたがってＣＰＵ１はそれらの動作を制御する。
【０００７】
入力装置５は液晶表示画面に透明タブレットを積層配置してなるタッチスクリーン（手書き認識ボード）を有し、このタッチスクリーン上を入力ペンによって手書き入力すると、ＣＰＵ１はその筆記データを切り出して文字認識し、各種ファンクションボタンが入力ペンによって操作されると、それに応じた処理を起動させる。ここで、表示装置６にブラウザ画面が表示されている状態において、表示装置６の最大表示可能領域、つまり端末画面の物理サイズは図２に示すようにブラウザ１ページ分の表示サイズに比べて極端に小さいため、端末画面にはブラウザ１ページ分を全て表示することはできず、その一部のみが表示されることになる。この場合、図３に示すように端末画面の右側および下側に設けたスクロールバー（スライダやボタン）を操作することで、縦／横方向に表示スクロールすることができるようになっているが、更に、この実施形態においては、端末画面上の任意の位置を入力ペンによって指定（タップ）すると、そのタップ位置に応じた画像オブジェクトが端末画面の中心位置（図３参照）に来るように１ページ分の表示情報全体を移動させるようにしている。
【０００８】
ここで、図２に示すようにブラウザ１ページ分の表示情報は、複数の画像オブジェクトを含むもので、各画像表示域毎にその位置およびサイズの他、その画像に関連する他の関連ページがリンクされている場合にはそのリンク先アドレスが定義されている。すなわち、各画像オブジェクトを特定する一連Ｎｏ.をｎ＝１、２、３…とし、また１ページの左上隅部をＸＹ座標系の原点（０、０）とした場合に、各画像表示域はその左上位置（ＸＧｎ、ＹＧｎ）、横幅サイズ（ＷＧｎ）、縦幅サイズ（ＬＧｎ）、リンク先アドレス（ＬｉｎＫＧｎ）が定義されている。この場合、端末画面上がタップされた際に、ＣＰＵ１はそのタップ位置が画像表示域内であればその画像を表示制御用の基準画像として決定し、この決定画像にリンク先アドレスが定義されていなければ、この決定画像が端末画面の中心位置に来るように１ページ全体を移動表示させるが、その決定画像にリンク先アドレスが定義されていれば、つまりリンク付画像であればこのリンク先アドレスで示される関連ページ（例えば、その画像を説明するための説明ページ）へジャンプさせる。また、タップ位置が画像表示域でなければ、そのタップ位置に最も近い画像を表示制御用の基準画像として決定し、この決定画像が端末画面の中心位置に来るように１ページ全体を移動表示させる。また図３において、右下隅部にある「＊」はモード切替ボタンであり、このモード切替ボタン＊がタップされる毎に、通常モードとリンクモードとがサイクリックに切り替えられる。ここで、通常モードは、端末画面上のタップ位置やリンク付画像か否かに応じて上述のような表示制御を実行させるモードであり、また、リンクモードはタップ位置が画像表示域でない場合に、所定条件に合った画像（リンク付画像）を表示制御用の基準画像として決定し、この決定画像が端末画面の中央部分に来るように１ページ全体を移動表示させるモードである。
【０００９】
次にこの携帯情報端末の動作を図４に示すフローチャートにしたがって説明する。ここで、このフローチャートに記述されている機能を実現するためのプログラムは、読み取り可能なプログラムコードの形態で記憶媒体３に格納されており、ＣＰＵ１はこのプログラムコードにしたがった動作を逐次実行する。このことは後述する他の実施形態についても同様である。図４は画面表示処理を示したフローチャートである。先ず、モード切替ボタン＊によって切り替えられるモードを通常モードに初期設定しておく（ステップＡ１）。ここで、インターネットブラウザのアクセス時において、表示対象として任意に指定したページアドレスのデータをダウンロードすると共に（ステップＡ２）、ダウンロードした１ページ分のデータを表示イメージデータに変換し、それを記憶保持しておく（ステップＡ３）。そして、この１ページ分の表示データの原点位置（０、０）に端末画面の左上位置（ＸＨ、ＹＨ）を合せ込むために、表示位置の初期化（ＸＨ、ＹＨ）＝（０、０）を行うと共に（ステップＡ４）、端末画面サイズ分の表示データを抽出して端末画面に表示出力させる（ステップＡ５）。この場合、表示位置の初期化によって端末画面には１ページの左上原点から端末画面サイズ分の表示データが切り出されて表示出力される。図５（Ａ）はこの場合の初期画面状態を示し、表示されている画像オブジェクトのいずれもその全体像が完全には表示されておらずその一部のみの表示となっている。
【００１０】
このような、現画面表示の状態において、画面上の任意の位置がタップされるまで待機する（ステップＡ６）。ここで、ブラウザ画面上の位置の任意がタップされると、そのタップ位置は画像表示域内にあるかを調べる（ステップＡ７）。いま、図５（Ａ）に示すブラウザ画面の右下がタップされたものとすると、このタップ位置(1)は、画像表示域内にあるためステップＡ７でそのことが判別されてステップＡ８に進み、そのタップ位置の画像にはリンク先アドレスが定義されているかを調べる。この場合、図２に示すように、当該画像はリンク先アドレス（ＬｉｎｋＧ５）が定義されているリンク付画像であるためステップＡ９に進み、現在表示対象として指定されているページアドレスをこのリンク先アドレスに設定することによって表示対象をリンク先ページへジャンプさせる。そして、このリンク先アドレスで示される関連ページをダウンロードして表示出力させる（ステップＡ２〜Ａ５）。
【００１１】
一方、画像表示域でない位置がタップされた場合には、ステップＡ７でそのことが判別されてステップＡ１０に進み、そのタップ位置がモード設定を行うモード切替ボタン＊であるかを判別し、モード切替ボタン＊が操作された場合には、モード切り替えが行われる（ステップＡ１５）。この場合、通常モードからリンクモードあるいはリンクモードから通常モードへの切り替えが行われる。そして、ステップＡ６に戻り、タップ待ちとなる。いま、図５（Ａ）に示すように画像表示域ではない位置(2)がタップされたものとする。この場合、モード切替ボタン＊のタップではないので、現在セットされているモードを判別し（ステップＡ１１）、通常モードであれば、そのタップ位置に最も近い画像オブジェクトを表示制御用の基準画像として決定する（ステップＡ１２）。ここで、タッチ位置(2)に最も近い画像は図５（Ａ）の右下にその一部が表示されている画像であり、この画像が基準画像として決定される。そして、この基準画像が端末画面の中央部分に来るように１ページ分の表示情報を移動表示させるが（ステップＡ１３）、この場合、基準画像の位置情報（ＸＧｎ、ＹＧｎ）、サイズ情報ＷＧｎ、ＬＧｎを取得し、この位置情報とサイズ情報および端末画像の中心位置情報（ｘｃ、ｙｃ）とに基づいて移動後における端末画面の左上座標（ＸＨ、ＹＨ）を求める。すなわち、（ＸＨ、ＹＨ）＝（ＸＧｎ＋ＷＧｎ／２）−ｘｃ、ＹＧｎ＋（ＬＧｎ／２）−ｙｃ）の計算を実行することによって基準画像が端末画面の中心位置（ｘｃ、ｙｃ）に来るような移動表示が行われる。図５（Ｂ）はこの場合の表示状態図である。そして、ステップＡ６に戻り、タップ待ちとなる。このように通常モードにおいては、タップ位置に最も近い画像が端末画面の中央に表示される。なお、この画像はリンク付画像であるが、その画像を直接タップしていないので、画面中央への表示となる。
【００１２】
また、図５（Ａ）に示すように画面上の位置(3)がタップされたものとする。この場合、通常モードであれば、そのタップ位置に最も近い画像が画面中央に表示されることは上述の場合と同様である（ステップＡ１１〜Ａ１３）。図（Ｃ）はこの場合の表示状態を示している。また、図５（Ａ）に示す位置(4)がタップされ、画面右上の画像が直接タップされた場合、その画像にはリンク先がないので、ステップＡ８でそのことが判別されてステップＡ１３に進み、当該画像を画面中央に表示させる。つまり、リンク先がない画像が直接タップされてもその近傍がタップされたときと同様に、その画像は画面中央に表示される。
【００１３】
一方、タップ位置が画像上ではなく、しかもリンクモードにセットされている場合には、ステップＡ１４に進み、タップ位置方向においてタップ位置に最も近いリンク付画像を表示制御用の基準画像として決定する。すなわち、いま、図５（Ａ）の位置(3)がタップされたものとすると、端末画面の中央位置を平面座標系の原点とし、タップ位置が座標系のどの象限に含まれているかを判別する。この場合、タップ位置(3)は第１の象限に含まれているので、右上方向を第一義とし、更にタップ位置は右あるいは上のいずれかに偏っているかを判別してその偏り方向を優先し、その方向をタップ位置方向とする。この場合、右方向が優先されるので、それに最も近いリンク付画像は図２右端にある“デスクトップ”の画像となる。このようにして決定された画像は画面の中央に表示される(ステップＡ１３)。図５（Ｄ）はこの場合の表示状態を示し、２画面分に近い横スクロールを行った場合と同様の結果が得られる。
【００１４】
以上のようにこの第１実施形態においては、端末画面上で任意に指定されたタップ位置が画像表示域内であれば、その画像を表示制御用の基準画像として決定し、また、タップ位置が画像表示域外であれば、そのタップ位置にもっとも近い画像を表示制御用の基準画像として決定し、この決定画像が端末画面の中央部分に来るように１ページ分の表示全体を移動制御するようにしたから、簡単な操作によって所望する画像を作業性や視読性の良い場所に合わせ込むことができる他、現画面内に表示しきれない画像であてもそれを画面の中央位置に合わせ込むことができる。したがって、１ページ分の表示情報が端末画面よりも大きくその全てを端末画面上に表示しきれない場合であっても、従来のように横／縦スクロールを何回も操作しなくてもよく、１ページ分の全体内容を容易に確認することが可能となるまた、画像表示域内が直接タップされた場合、その画像がリンク付画像であればリンク先のページにジャンプすることができるので、その画像説明等のページを確認することができる。この場合、画像全体が表示画面上に表示されている必要はなく、その一部が表示されていれば足りるため、リンク先ページの確認を即座に行うことができる。更に、画像表示域外がタップされた場合、モード切替ボタン＊による設定モードがリンクモードであれば、タップ位置方向において最も近いリンク付画像が画面中央に表示され、通常モードにあれば、リンク先の設定有無に限らずにタップ位置に最も近い画像が画面中央に表示されるため、モードを適宜切り替えることによって画面中央に表示される画像を適宜選択することが可能となる。なお、上記実施形態では、基準画像を端末画面の中央に来るようにしたが、端末画面の外にはみ出した基準画像を画面内に移動するようにしても良い。また上記実施形態は、左右、上下にスクロールしたが、上下方向のみスクロールし、基準画面を上下方向のみ中央に来るようにしてもよい。
【００１５】
（第２実施形態）
以下、図６を参照してこの発明の第２実施形態を説明する。なお、上述した第１実施形態においては、画像が直接タップされた場合、それがリンク付画像であればリンク先ページへジャンプし、リンク先が付加されていなければその画像を画面中央に表示させたが、この第２実施形態においては、リンク先ページへのジャンプに条件を加えたものある。図６はこの第２実施形態における画面表示処理を示したフローチャートであり、ステップＢ１〜Ｂ５は上述した第１実施形態と基本的に同様の処理である。先ず、端末画面の表示位置を（ＸＨ、ＹＨ）＝（０、０）に初期化する（ステップＢ１）。そして、表示対象として任意に設定されたページアドレスのデータをダウンロードすると共に（ステップＢ２）、このデータを１ページ分の表示データに変換する他（ステップＢ３）、その中から端末画面分の表示データを抽出して表示出力させる（ステップＢ４）。この状態において任意の位置がタップされた場合（ステップＢ５）、リンク付画像が直接タップされたかを調べ（ステップＢ６）、他の部分がタップされた場合にはそれに応じて他の処理が行われる。例えば、上述した第１実施形態のようにリンク無し画像の直接タップによってその画像を画面中央に表示させる処理や画像付近のタップによってそのタップ位置に最も近い画像を画面中央に表示される処理等が行われる。
【００１６】
いま、リンク付画像が直接タップされたものとすると、ステップＢ７に進み、そのリンク付画像は画面中央に表示されているかを調べる。この場合、（ＸＨ、ＹＨ）＝（ＸＧｎ＋（ＷＧｎ／２）−ｘｃ、ＹＧｎ＋（ＬＧｎ／２）−ｙｃ）の条件が成立するかによってその判断を行う。いま、タップしたリンク付画像が画面中央から外れていればその画像が画面中央に来るように制御するが、この場合の表示制御も上述した第１実施形態と同様である。そして、ステップＢ５に戻り、タップ待ちとなる。ここで、前回タップしたリンク付画像が再びタップされると、ステップＢ７に進み、再びその画像は画面中央に位置しているかを調べるが、この画像は前回のタップで画面中央にあるため、ステップＢ９に進み、その画像のリンク先アドレスを表示対象のページアドレスとして設定する。そして、設定ページをダウンロードして表示出力させる（ステップＢ２〜Ｂ４）。この場合、表示位置の初期化は行われないので、リンク先ページは画面中央に表示されることになる。
【００１７】
以上のようにこの第２実施形態においては、リンク付画像が直接タップされた場合、その画像が画面中央になければ、１回目のタップでそれを画面中央に表示させ、この状態で当該タップが再びタップされた場合は、この２回目のタップで、それにリンクされているリンクページへジャンプするようにしたから、リンク先へジャンプする前に当該画像全体を確認することができる。つまり、上述した第１実施形態においては、リンク付画像が部分的にでも表示されていればそれを直接タップすることで、リンク先ページへジャンプすることができるので、使い慣れた人にとっては便利な機能となるが、初心者等にとっては見易い場所で指定画像全体を確認した上でリンク先ページへ移行した方が良い場合がある。したがって、この第２実施形態においては、初心者対応型の機能とも言えるが、使い勝手を考慮して第１実施形態の方式と第２実施形態の方式とを適宜選択できるようにすれば、より一層便利なものとなる。なお、本実施形態では、リンク先がタップされた場合、その画像が中央でなければ、中央に表示し、中央に画像が表示されていればリンク先へジャンプさせたが、１回目で、リンク先の画像を表示内に移動し、画像が表示内にあれば、リンク先へジャンプさせるようにしても良い。
【００１８】
（第３実施形態）
以下、図７を参照してこの発明の第３実施形態を説明する。この第３実施形態は任意の画像をタップした際にそのタップの仕方によってその画像を表示画面の中央に表示させるか、それにリンクされているリンク先ページへジャンプさせるかを制御するようにしたものである。また、第１実施形態の場合、モード切替ボタン＊は通常モードとリンクモードとを切り替えるようにしたが、この第３実施形態においては、画面中央への表示を優先させる中央優先モードとリンク先ページへのジャンプを優先させるジャンプ優先モードとの切り替えを行うようにしたものでそのモードの詳細は後述する。図７はこの第３実施形態における画面表示処理を示したフローチャートである。先ず、モード切替ボタン＊のモード状態を中央優先モードに初期設定しておくと共に（ステップＣ１）、表示位置を初期化（ＸＨ、ＹＨ）＝（０、０）する（ステップＣ２）。そして、設定されたページアドレスのデータをダウンロードし（ステップＣ３）、それを表示データに変換したのち（ステップＣ４）、端末画面分のデータを抽出して表示出力させる（ステップＣ５）。
【００１９】
ここで、タップ待ち状態において画面上の任意の位置がタップされた場合に（ステップＣ６）、その位置がリンク付画像の上ではなく（ステップＣ７）、モード切替ボタン＊であれば（ステップＣ１３）、モードの切り替えが行われ、中央優先モードからジャンプ優先モードへ、ジャンプ優先モードから中央優先モードへ切り替えられる。また、リンク付画像がタップされた際にはそのタップ状態はダブルかシングルタップかを判別する（ステップＣ８）。ここで、ダブルタップはマウス操作のダブルクリックに対応する操作態様で、瞬間的に２回タップすることであり、シングルタップは１回タップすることを意味し、タップ状態がシングル／ダブルのいずれにおいても、モード切替ボタン＊によってセットされるモード状態の判別が行われる（ステップＣ９、Ｃ１０）。ここで、中央優先モードにおいて、シングルタップされた場合にはステップＣ１１に進み、タップ指定されたリンク付画像を画面中央に合わせ込む表示制御が行われる。この場合の制御も上述した第１・第２実施形態と同様である。そして、ステップＣ６に戻り、タップ待ちとなる。また、中央優先モードにおいてダブルタップされた場合には、ステップＣ１２に進み、その指定画像にリンクされているリンク先アドレスを表示対象のページアドレスとして設定し、リンク先ページへジャンプさせる。そして、ステップＣ３に戻り、リンク先ページの表示制御が行われる。一方、ジャンプ優先モードにおいては、シングルタップでリンク先ページへのジャンプ（ステップＣ１２）、ダブルタップで指定画像の中央表示が行われる（ステップＣ１１）。
【００２０】
以上のようにこの第３実施形態においては、リンク付画像がタップされた場合、シングルタップかダブルタップかに応じてその画像を中央表示させたり、そのリンク先へジャンプさせたりすることができるので、上述した第１実施形態の効果に加えユーザの自由度が増し、使い勝手を向上させることが可能となる。また、モード切替ボタン＊によって中央優先モード、ジャンプ優先モードを切り替え指定することができるので、更にユーザの好みに応じた操作環境とすることができる。
【００２１】
なお、上述した各実施形態においては、画像オブジェクトを指定するようにしたが、表や図形オブジェクトの他、ブロック毎に分割管理されたテキストデータであってもよい。また、タッチスクリーン上をタップするようにしたが、マウスポインタやテキストカーソルで指定するようにしてもよい。更に、ブラウザソフトを有する電子手帳を例に挙げたが、携帯電話であってもよい。また、第３実施形態においては画像の指定方法としてシングルタップ、ダブルタップを例に挙げたが、○、×等の記号を手書き入力することによって指定するようにしてもよい。つまり、指定方法は操作性が良ければ、どのような方法であってもよい。
【図面の簡単な説明】
【００２２】
【図１】携帯情報端末の全体を示したブロック図。
【図２】プラウザ１ページ分の表示情報に対する端末画面のサイズを示すと共に、プラウザ１ページ分の表示情報を説明するための図。
【図３】端末画面を説明するための図。
【図４】画面表示処理を示したフローチャート。
【図５】（Ａ）〜（Ｄ）は端末画面をタップした際に、そのタッチ位置に応じて変遷する端末画面を示した図。
【図６】第２実施形態における画面表示処理を示したフローチャート。
【図７】第３実施形態における画面表示処理を示したフローチャート。
【符号の説明】
【００２３】
１  ＣＰＵ
２  記憶装置
３  記憶媒体
４  ＲＡＭ
５  入力装置
６  表示装置
７  通信装置
＊  モード切替ボタン
【図１】
0004530030.tif 000002
【図２】
0004530030.tif 000003
【図３】
0004530030.tif 000004
【図４】
0004530030.tif 000005
【図５】
0004530030.tif 000006
【図６】
0004530030.tif 000007
【図７】
0004530030.tif 000008